(57)【要約】【課題】プール水全体の塩素濃度を速やかに設定濃度にする。【解決手段】プール水の殺菌装置は、プール水１０の殺菌剤濃度を検出する濃度センサ５と、殺菌液２０を充填できる可搬容器２と、可搬容器２の殺菌液２０を移送する第１のポンプ１１と、移送される殺菌液２０を一時的に蓄えて希釈する希釈タンク３と、希釈タンク３に水を供給する補給水機構４と、希釈タンク３内の希釈殺菌液３０の殺菌剤濃度を調整する第１の濃度制御機構６と、希釈タンク３内の希釈殺菌液３０をプール１に供給する第２のポンプ１２と、プール水１０の殺菌剤濃度で第２のポンプ１２をコントロールする第２の濃度制御機構７とを備える。第１の濃度制御機構６は、プール水１０の殺菌剤濃度で、希釈タンク３の希釈殺菌液３０の殺菌剤濃度を変化させ、第２の濃度制御機構７は、プール水１０の殺菌剤濃度で第２のポンプ１２を制御して、プール水１０の殺菌剤濃度をコントロールする。【選択図】図１
2014091063.tif 000002
【特許請求の範囲】
【請求項１】
プール水(10)の殺菌剤濃度を検出する濃度センサ(5)と、２リットル以上で３０リットル以下の殺菌液を充填できる持ち運びできる可搬容器(2)と、この可搬容器(2)に脱着できるように連結されて可搬容器(2)の殺菌液(20)を吸入して移送する第１のポンプ(11)と、この第１のポンプ(11)から排出される殺菌液(20)を一時的に蓄えて希釈する希釈タンク(3)と、この希釈タンク(3)に水を供給する補給水機構(4)と、この補給水機構(4)が供給する水量と前記第１のポンプ(11)が供給する液量を制御して、希釈タンク(3)内の殺菌剤濃度を所定の濃度範囲に調整して希釈殺菌液(30)とする第１の濃度制御機構(6)と、この第１の濃度制御機構(6)で殺菌剤濃度がコントロールされる希釈タンク(3)内の希釈殺菌液(30)をプール(1)に供給する第２のポンプ(12)と、前記濃度センサ(5)で検出されるプール水(10)の殺菌剤濃度で第２のポンプ(12)が希釈殺菌液(30)をプール(1)に供給する流量をコントロールして、プール水(10)の殺菌剤濃度を設定値に制御する第２の濃度制御機構(7)とを備え、
前記第１の濃度制御機構(6)が、濃度センサ(5)で検出されるプール水(10)の殺菌剤濃度で第１のポンプ(11)を制御して、プール水(10)の殺菌剤濃度でもって、希釈タンク(3)に蓄えられる希釈殺菌液(20)の殺菌剤濃度を変化し、
プール水(10)の殺菌剤濃度が低い状態における希釈殺菌液(30)の殺菌剤濃度を、プール水(10)の殺菌剤濃度が高い状態における希釈殺菌液(30)の殺菌剤濃度よりも高く調整し、
前記第２の濃度制御機構(7)が、前記濃度センサ(5)で検出されるプール水(10)の殺菌剤濃度で前記第２のポンプ(12)を制御して、プール水(10)の殺菌剤濃度を設定濃度にコントロールするようにしてなるプール水の殺菌装置。
【請求項２】
前記第１のポンプ(11)が定流量ポンプで、前記補給水機構(4)は、一定量の水を希釈タンク(3)に供給し、補給水機構(4)から供給される定量の水に対して、第１の濃度制御機構(6)が第１のポンプ(11)の運転時間をコントロールして、希釈タンク(3)の殺菌剤濃度をコントロールする請求項１に記載されるプール水の殺菌装置。
【請求項３】
前記可搬容器(2)が、３％〜２０％の次亜塩素酸ナトリウム水溶液を殺菌液(20)として充填してなる請求項１又は２に記載されるプール水の殺菌装置。
【請求項４】
前記可搬容器(2)が、開口部(2A)に脱着できるように連結される吸入用のキャップ(22B)を有し、
この吸入用のキャップ(22B)に、前記第１のポンプ(11)の吸入側に連結してなる吸入パイプ、又は下端に重り(14)を連結してなる吸入ホース(13)を連結しており、
前記吸入用のキャップ(22B)が可搬容器(2)にセットされて、第１のポンプ(11)が吸入パイプ又は吸入ホース(13)を介して殺菌液(20)を吸入して希釈タンク(3)に移送するようにしてなる請求項１ないし３のいずれかに記載されるプール水の殺菌装置。
【請求項５】
前記可搬容器(2)を脱着自在にセットできる脱着収納部(21)を有し、この脱着収納部(21)が前記可搬容器(2)を載せて定位置にセットできる台車(23)を有し、前記可搬容器(2)を台車(23)に乗せて、脱着収納部(21)の定位置にセットされるようにしてなる請求項１ないし４のいずれかに記載されるプール水の殺菌装置。
【請求項６】
前記希釈タンク(3)が攪拌器(31)を有する請求項１ないし５のいずれかに記載されるプール水の殺菌装置。
【請求項７】
前記第１の濃度制御機構(6)が、バッチ式に補給水機構(4)と第１のポンプ(11)とを制御して、希釈タンク(3)の濃度を所定の範囲に制御する請求項１ないし６のいずれかに記載されるプール水の殺菌装置。
【発明の詳細な説明】
【技術分野】
【０００１】
本発明は、プール水を殺菌する装置に関し、とくに、次亜塩素酸ナトリウムなどの殺菌液をプール水に供給して殺菌剤濃度を設定値とするプール水の殺菌装置に関する。
【背景技術】
【０００２】
プールは、水をろ過しながら循環させて清澄な状態に保持している。さらに、細菌の繁殖を防止し、また細菌を不活性化するために、プール水に次亜塩素酸ナトリウム水溶液などの殺菌液を添加している。プール水は、殺菌効果が低下しないように、殺菌剤の濃度が法律で定められている。このことを実現するために、プール水を殺菌する殺菌液を添加する装置は開発されている。（特許文献１参照）
【先行技術文献】
【特許文献】
【０００３】
【特許文献１】特開平６−２９６９６８号公報
【発明の概要】
【発明が解決しようとする課題】
【０００４】
特許文献１に記載される殺菌装置は、陰極板と陽極板を対向させて設け、その間に食塩水を流しながら電解して活性酸素を含む殺菌水を作る電解装置と、殺菌水をプールの循環水に加えて攪拌する攪拌装置と、電解装置で副生される次亜塩素酸と次亜塩素酸ナトリウムを触媒に接触させて分解し、活性酸素を発生させる触媒装置とを設けている。この殺菌装置は、食塩水を電気分解して、発生する活性酸素と、次亜塩素酸や次亜塩素酸ナトリウム等でプール水を殺菌する。この装置は、食塩水を電気分解して殺菌力のある水を調製するので、装置が高価となるばかりでなく、電気装置に設けている正負の電極板には、経時的にスケールが付着するので、これを除去するメンテナンスに極めて手間がかかる欠点がある。
【０００５】
この欠点は、次亜塩素酸ナトリウムなどの殺菌液を含む殺菌液をプール水に添加して解消できる。すなわち、プール水の塩素濃度を測定し、塩素濃度が設定濃度よりも低いときには、設定濃度よりも低い程度によって、最適な量の殺菌液をプール水に添加して、プール水の塩素濃度を設定濃度にすることができる。この装置は、たとえば、プール水の塩素濃度をセンサで測定し、測定結果で殺菌液の供給量をコントロールして、プール水の塩素濃度を設定濃度に調整できる。
【０００６】
しかしながら、従来のこの装置は、可搬容器に蓄えている高濃度の殺菌液をプール水に直接に供給するので、供給される殺菌液がプール全体に均一に拡散されるのに時間がかかり、プール水の塩素濃度を均一に設定濃度にできない欠点がある。また、この装置は、プールの塩素濃度を均一にするのに時間がかかるので、プール水の塩素濃度を測定しながら、殺菌液の供給量をコントロールすると、過剰に殺菌液が供給される欠点がある。それは、殺菌液を供給して、塩素濃度を測定するプール水の塩素濃度が上昇するのに相当な時間遅れがあるからである。
【０００７】
プールは、時間帯によって使用する人数が大幅に変動する。一時に多量のユーザーが使用すると、プール水の塩素濃度が急激に低下し、殺菌力が著しく低下して白濁する。この状態になると、速やかに殺菌液を供給して、塩素濃度を設定濃度とする必要がある。ただ、この状態で多量の殺菌液が供給されて、塩素濃度が高くなると、ユーザーに悪影響を与える弊害が発生するので、塩素濃度を速やかに設定濃度まで上昇させる必要はあるが、高すぎないようにコントロールすることが大切である。このことから、プール水の殺菌装置は、プールを使用する人数が大幅に変動しても、プール水全体の塩素濃度を常に設定濃度に保持することが極めて大切である。多量のユーザーが使用してプール水の塩素濃度が低くなると、充分な殺菌力がなくなって細菌が繁殖したり活性化する弊害があり、反対に高すぎると、ユーザーに種々の悪い影響、たとえば目や皮膚の刺激が強くなる等の弊害を与えるからである。
【０００８】
本発明は、この欠点を解決することを目的に開発されたものである。本発明の重要な目的は、使用人数が大幅に変動しても、プール水全体の塩素濃度を速やかに設定濃度にできるプール水の殺菌装置を提供することにある。
【課題を解決するための手段及び発明の効果】
【０００９】
本発明のプール水の殺菌装置は、プール水１０の殺菌剤濃度を検出する濃度センサ５と、２リットル以上で３０リットル以下の殺菌液２０を充填できる持ち運びできる可搬容器２と、この可搬容器２に脱着できるように連結されて可搬容器２の殺菌液２０を吸入して移送する第１のポンプ１１と、この第１のポンプ１１から排出される殺菌液２０を一時的に蓄えて希釈する希釈タンク３と、この希釈タンク３に水を供給する補給水機構４と、この補給水機構４が供給する水量と第１のポンプ１１が供給する液量を制御して、希釈タンク３内の殺菌剤濃度を所定の濃度範囲に調整して希釈殺菌液３０とする第１の濃度制御機構６と、この第１の濃度制御機構６で殺菌剤濃度がコントロールされる希釈タンク３内の希釈殺菌液３０をプール１に供給する第２のポンプ１２と、濃度センサ５で検出されるプール水１０の殺菌剤濃度で第２のポンプ１２が希釈殺菌液３０をプール１に供給する流量をコントロールして、プール水１０の殺菌剤濃度を設定値に制御する第２の濃度制御機構７とを備えている。第１の濃度制御機構６は、濃度センサ５で検出されるプール水１０の殺菌剤濃度で第１のポンプ１１を制御して、プール水１０の殺菌剤濃度でもって、希釈タンク３に蓄えられる希釈殺菌液３０の殺菌剤濃度を変化させる。第１の濃度制御機構６は、プール水１０の殺菌剤濃度が低い状態における希釈殺菌液３０の殺菌剤濃度を、プール水１０の殺菌剤濃度が高い状態における希釈殺菌液３０の殺菌剤濃度よりも高く調整する。第２の濃度制御機構７は、濃度センサ５で検出されるプール水１０の殺菌剤濃度で第２のポンプ１２を制御して、プール水１０の殺菌剤濃度を設定濃度にコントロールする。
【００１０】
以上のプール水の殺菌装置は、プールを使用する人数が大幅に変動する状態においても、プール全体の殺菌剤濃度を速やかに設定値にできる特徴がある。それは、可搬容器に蓄えられた高濃度の殺菌液を直接にプールに供給することなく、これを希釈タンクで希釈してプールに供給することで供給水量を多くし、さらに、希釈タンクにはプール水の殺菌剤濃度によって殺菌剤濃度を変化させる希釈殺菌液を蓄えて、この希釈殺菌液をプールに供給するからである。希釈殺菌液は、希釈して殺菌剤濃度を低くしているので、プール水の殺菌剤濃度を設定値とするために、プールに供給される液量が多くなる。プールに供給される多量の希釈殺菌液は、少量の高濃度な殺菌液が供給されるのに比較して、速やかにプール全体に拡散して殺菌剤濃度を設定値とする。さらに以上の殺菌装置は、希釈タンクの殺菌剤濃度をプール水の殺菌剤濃度で調整し、一時に多人数がプールに入って、プール水の殺菌剤濃度が急激に低下するときには、希釈タンクの殺菌剤濃度を高くして、プールに供給する殺菌剤量を多くしてより速やかにプール水の殺菌剤濃度を設定値とし、反対にプールの使用人数が少なくてプール水の殺菌剤濃度が急激に低下しない状態では、希釈タンクの殺菌剤濃度を低くして、プールに供給する殺菌剤量を多くして速やかに拡散できる状態として、プール水の殺菌剤濃度を設定濃度に調整する。
【００１１】
さらに、以上のプール水の殺菌装置は、第１の濃度制御機構でもって、希釈タンクの殺菌剤濃度をプール水の殺菌剤濃度で変化させるが、希釈タンクの殺菌剤濃度を検出して、設定値には制御しない。第１の濃度制御機構は、希釈タンクの殺菌剤濃度を、希釈タンクに供給される水量と、殺菌液の供給量とで調整する。このため、第１の濃度制御機構に、希釈タンクの殺菌剤濃度を検出する高価なセンサーを設ける必要がない。このため、希釈タンクに蓄えられる希釈殺菌液の殺菌剤濃度を高い精度ではコントロールできない。しかしながら、プール水の殺菌剤濃度は高い精度で設定値にコントロールされる。それは、第２の濃度制御機構が、濃度センサで検出されるプール水の殺菌剤濃度で第２のポンプを制御して、希釈殺菌液の供給量をプール水の殺菌剤濃度が正確に設定値となるようにコントロールするからである。以上の独特の構成によって、以上のプール水の殺菌装置は、製造コストを低減しながら、プール水の殺菌剤濃度を正確に設定値にコントロールでき、しかも速やかにプール水全体の殺菌剤濃度を設定値にコントロールできる優れた特徴を実現する。
【００１２】
さらに、以上のプール水の殺菌装置は、可搬容器に２〜３０リットルの殺菌液を充填して持ち運びできる大きさとし、これに第１のポンプを連結して、殺菌液を希釈タンクに供給するので、可搬容器を、誰もが簡単かつ容易に、しかも楽に専用の器具を使用することなく、第１のポンプに連結して、殺菌液を補給できる特徴も実現する。このことから、殺菌装置の管理者の経費を低減して、ランニングコストを安価にできる特徴も実現する。
【００１３】
本発明のプール水の殺菌装置は、第１のポンプ１１を定流量ポンプとし、補給水機構４は、一定量の水を希釈タンク３に供給し、補給水機構４から供給される定量の水に対して、第１の濃度制御機構６が第１のポンプ１１の運転時間をコントロールして、希釈タンク３の殺菌剤濃度をコントロールすることができる。
以上の殺菌装置は、希釈タンクに蓄える希釈殺菌液の殺菌剤濃度を調整する機構を簡単とし、また、部品コストを低減しながら、希釈殺菌液の殺菌剤濃度を設定値に調整できる。
【００１４】
本発明のプール水の殺菌装置は、可搬容器２が、３％〜２０％の次亜塩素酸ナトリウム水溶液を殺菌液２０として充填することができる。
以上の殺菌装置は、ひとつの可搬容器をセットして、長期間プール水の塩素濃度を設定値にコントロールできる。
【００１５】
本発明のプール水の殺菌装置は、可搬容器２が、開口部２Ａに脱着できるように連結される吸入用のキャップ２２Ｂを有し、この吸入用のキャップ２２Ｂに、第１のポンプ１１の吸入側に連結してなる吸入パイプ、又は下端に重り１４を連結してなる吸入ホース１３を連結し、吸入用のキャップ２２Ｂを可搬容器２にセットして、第１のポンプ１１が吸入パイプ又は吸入ホース１３を介して殺菌液２０を吸入して希釈タンク３に移送することができる。
以上の殺菌装置は、可搬容器のキャップを外し、これに第１のポンプの吸入パイプや吸入ホースを連結している吸入用のキャップをセットして、第１のポンプを簡単に可搬容器にセットできる。
【００１６】
本発明のプール水の殺菌装置は、可搬容器２を脱着自在にセットできる脱着収納部２１を有し、この脱着収納部２１が可搬容器２を載せて定位置にセットできる台車２３を有し、可搬容器２を台車２３に乗せて、脱着収納部２１の定位置にセットすることができる。  以上の殺菌装置は、可搬容器をより楽に定位置にセットできる。
【００１７】
本発明のプール水の殺菌装置は、希釈タンク３が攪拌器３１を有することができる。
以上の殺菌装置は、希釈タンクの希釈殺菌液の殺菌剤濃度を速やかに均一にできる。
【００１８】
本発明のプール水の殺菌装置は、第１の濃度制御機構６が、バッチ式に補給水機構４と第１のポンプ１１とを制御して、希釈タンク３の濃度を所定の範囲に制御することができる。
以上の殺菌装置は、第１の濃度制御機構でもって、比較的正確に希釈タンクの殺菌剤濃度をコントロールできる。
【図面の簡単な説明】
【００１９】
【図１】本発明の一実施例にかかるプール水の殺菌装置のブロック図である。
【図２】プール水の殺菌剤濃度に対する希釈殺菌液の濃度の一例を示す図である。
【発明を実施するための形態】
【００２０】
以下、本発明の実施例を図面に基づいて説明する。ただし、以下に示す実施例は、本発明の技術思想を具体化するためのプール水の殺菌装置を例示するものであって、本発明はプール水の殺菌装置を以下の構造には特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図１に示すプール水の殺菌装置は、プール水１０の殺菌剤濃度を検出する濃度センサ５と、２リットル以上で３０リットル以下の殺菌液２０を充填できる、持ち運び可能な可搬容器２と、この可搬容器２を脱着して、空になった可搬容器２を殺菌液２０を満たした可搬容器２に交換できるようにセットする脱着収納部２１と、脱着収納部２１にセットされた可搬容器２に脱着できるように連結されて可搬容器２の殺菌液２０を吸入して移送する第１のポンプ１１と、この第１のポンプ１１から排出される殺菌液２０を所定の濃度に希釈して一時的に蓄える希釈タンク３と、この希釈タンク３に殺菌液２０の希釈水を供給する補給水機構４と、この補給水機構４が供給する水量と第１のポンプ１１が供給する殺菌液２０の液量を制御して、希釈タンク３内の殺菌剤濃度を所定の濃度範囲に調整して希釈殺菌液２０とする第１の濃度制御機構６と、希釈タンク３内の希釈殺菌液２０をプール１に供給する第２のポンプ１２と、濃度センサ５で検出されるプール水１０の殺菌剤濃度で第２のポンプ１２が希釈殺菌液２０をプール１に供給する流量をコントロールして、プール水１０の殺菌剤濃度を設定濃度に制御する第２の濃度制御機構７とを備えている。
【００２２】
濃度センサ５は、プール水１０の殺菌剤濃度を検出する。殺菌液２０を次亜塩素酸ナトリウム水溶液とする装置は、濃度センサ５が塩素濃度を検出して、プール水１０の塩素濃度を設定濃度に保持する。設定濃度は、法律で規定する最低濃度よりも高く設定される。ただ、プール水１０のろ過状態などで、法律で規定する最低濃度よりも低くして、殺菌の繁殖や活動を停止できる状態にあっては、設定濃度を法律で規定する最低濃度よりも低く設定することもできる。図１の殺菌装置は、濃度センサ５をプール１内に設けて、プール水１０の殺菌剤濃度を検出する。プール１は、図１に示すように、プール水１０を循環ろ過する濾過装置８を連結して、プール水１０を清澄な状態に保持するので、濾過装置８で循環されるプール水１０の殺菌剤濃度を濃度センサで検出することもできる。
【００２３】
可搬容器２は、所定の濃度の殺菌液２０を蓄える容器で、全ての作業者が楽に交換できるように、２リットル以上で３０リットル以下、好ましくは３リットル以上で２０リットル以下の殺菌液２０を蓄える容器とする。可搬容器２が小さ過ぎると頻繁に交換する必要があり、反対に大き過ぎると重くて、全ての作業者が楽に交換できなくなる。したがって、可搬容器２は、交換の頻度と交換手間の両方を考慮して、前述の範囲の殺菌液２０を蓄える容器とする。
【００２４】
可搬容器２は、好ましくは３％〜２０％、さらに好ましくは５％〜１５％の次亜塩素酸ナトリウム水溶液を殺菌液２０として充填している。次亜塩素酸ナトリウム水溶液は、安価で優れた殺菌力を有し、この用途に最適である。ただ、本発明の殺菌装置は、殺菌液を次亜塩素酸ナトリウム水溶液には特定せず、プール水に添加して殺菌作用のある全ての液体、例えば塩素酸ナトリウム水溶液等も使用できる。
【００２５】
図に示す可搬容器２は、上部に突出する筒状の開口部２Ａを設けて、この開口部２Ａにキャップ２２をして、このキャップ２２で開口部２Ａを閉塞して、殺菌液２０が漏れないように密閉する容器である。この可搬容器２は、殺菌装置にセットして第１のポンプ１１を連結するまでは、開口部２Ａを運搬用のキャップ２２Ａで閉塞して、殺菌液２０を漏れない状態とする。脱着収納部２１にセットした後、運搬用のキャップ２２Ａを外し、第１のポンプ１１の吸入側に連結している吸入パイプや、下端に重り１４を連結してなる吸入ホース１３を連結している吸入用のキャップ２２Ｂを開口部２Ａにセットする。この状態で、第１のポンプ１１は、吸入パイプや吸入ホース１３を介して殺菌液２０を吸入して希釈タンク３に移送できる状態となる。この殺菌装置は、運搬用のキャップ２２Ａを外して、吸入用のキャップ２２Ｂに交換して、可搬容器２から殺菌液２０を第１のポンプ１１で吸入できる状態にできる。このため、可搬容器２を交換して、簡単に殺菌液２０を吸入できる状態にセットできる。
【００２６】
脱着収納部２１は、可搬容器２を載せる台車２３を備え、この台車２３に可搬容器２を乗せて、可搬容器２を交換する。すなわち、開口部２Ａを運搬用のキャップ２２Ａで閉塞してなる可搬容器２を台車２３に乗せて、この台車２３を移動させて可搬容器２を脱着収納部２１まで移送する。可搬容器２が脱着収納部２１にセットされると、運搬用のキャップ２２Ａを外して、可搬容器２の内部に第１のポンプ１１の吸入側に連結している吸入ホース１３を挿入する。さらに、挿入ホース１３に連結している吸入用のキャップ２２Ｂで開口部２Ａを密閉する。
【００２７】
第１のポンプ１１は、可搬容器２から殺菌液２０を吸入し、これを希釈タンク３に供給して、希釈タンク３に供給される水を希釈殺菌液３０とする。希釈タンク３に蓄えられる希釈殺菌液３０の殺菌剤濃度は、第１のポンプ１１が希釈タンク３に供給する殺菌液２０の液量でコントロールされる。正確には、希釈タンク３に供給される水量に対する殺菌液２０の液量で、希釈殺菌液３０の殺菌剤濃度を調整する。第１のポンプ１１は、第１の濃度制御機構６で制御されて、希釈タンク３に殺菌液２０を供給する。第１のポンプ１１は、ダイアフラム式ポンプ、ピストンポンプ、ギャードポンプなどの定流量ポンプが適している。定流量ポンプは、運転時間、回転数、往復運動回数などで、希釈タンク３に供給する殺菌液２０の流量を正確に調整できる。ただ、第１のポンプは、必ずしも定流量ポンプとする必要はない。それは、定流量ポンプ以外のポンプであっても、運転時間をコントロールして、希釈タンク３に供給する殺菌液２０の流量をほぼ一定にコントロールでき、また、本発明のプール水の殺菌装置が、希釈タンク３に蓄えられる希釈殺菌液３０の殺菌剤濃度を正確にコントロールすることなく、プール１の殺菌剤濃度を正確にコントロールできるからである。
【００２８】
希釈タンク３は、たとえば内容積を５０リットル〜３００リットル、好ましくは約１００リットルとする密閉タンクで、図１の希釈タンク３は底部に攪拌器３１を設けている。攪拌器３１は供給される殺菌液２０と水とを撹拌して、希釈殺菌液３０の殺菌剤濃度を速やかに均一にする。ただ、希釈タンクは、必ずしも攪拌器を設ける必要はない。それは、本発明の殺菌装置が、希釈タンク３の殺菌剤濃度が不均一であっても、プール水１０の殺菌剤濃度を正確にコントロールできるからである。
【００２９】
図１の希釈タンク３は、水の液面レベルを検出するレベルセンサ３２を設けている。レベルセンサ３２は、希釈タンク３内の液面レベルを検出して、補給水機構４が供給する水４０の流量を検出して、検出する水４０の流量を第１の濃度制御機構６に出力する。
【００３０】
補給水機構４は、希釈タンク３に所定の流量の水を供給する。最も簡単な補給水機構４は、水道管（図示せず）の出口側に連結した開閉弁４３である。この補給水機構４は、開閉弁４３を開いて水道水を希釈タンク３に供給し、開閉弁４３を閉じて水道水の供給を停止する。ただ、補給水機構４は、図１に示すように、水ポンプ４１と水タンク４２で実現することができる。図１の補給水機構４は、水ポンプ４１を運転して水タンク４２の水４０を希釈タンク３に供給し、水ポンプ４１の運転を停止して、水４０の補給を停止する。さらに、補給水機構４は、図１に示すように、流量計４４を設けて、流量計４４で希釈タンク３に供給する水量を検出することもできる。
【００３１】
第１の濃度制御機構６は、第１のポンプ１１の運転を制御して、希釈タンク３の希釈殺菌液３０の殺菌剤濃度を調整する。第１の濃度制御機構６は、希釈タンク３に供給される水量に対する、第１のポンプ１１の希釈タンク３への殺菌液２０の供給量で、希釈タンク３の希釈殺菌液３０の殺菌剤濃度をコントロールする。第１の濃度制御機構６は、希釈タンク３に供給される水量をレベルセンサ３２から信号で検出する。この第１の濃度制御機構６は、希釈タンク３の液面レベルが最低レベルまで低下したことをレベルセンサ３２で検出すると、補給水機構４で希釈タンク３に水を供給し、水の液面レベルが最大レベルまで上昇すると、水の供給を停止して、希釈タンク３に供給される水の流量を検出する。希釈タンク３の最低レベルと最大レベルとの差から水の供給流量が検出できるからである。第１の濃度制御機構６は、希釈タンク３に供給される水量を検出し、この水量に対する殺菌液２０の供給量を検出し、この供給量の殺菌液２０が供給されるように、第１のポンプ１１を運転して、所定の殺菌液２０を希釈タンク３に供給する。
【００３２】
以上の第１の濃度制御機構６は、希釈タンク３の希釈殺菌液３０が最低レベルに低下する毎に、最大レベルまで水を補給し、その後、殺菌液２０を供給して、希釈タンク３の希釈殺菌液３０を所定の濃度にコントロールする。第１の濃度制御機構６は、連続的に希釈殺菌液３０の濃度をコントロールすることなく、バッチ式で希釈タンク３に希釈殺菌液３０を供給して、希釈殺菌液３０の濃度をコントロールする。ただ、希釈タンク３に連続的に水と殺菌液２０とを供給して、希釈タンク３の希釈殺菌液３０の殺菌剤濃度を常に所定の濃度に調整することもできる。この第１の濃度制御機構６は、希釈タンク３に供給される水の流量と、第１のポンプ１１が希釈タンク３に供給する殺菌液２０の流量との比率をコントロールして、希釈タンク３の希釈殺菌液３０の殺菌剤濃度を調整する。希釈タンク３に供給される水の流量は、流量計で検出できる。また、第１のポンプ１１が希釈タンク３に供給する殺菌液２０の流量は、第１のポンプ１１の回転数や往復運動させる速度でコントロールできる。
【００３３】
以上の第１の濃度制御機構６は、レベルセンサ３２や流量計４４で希釈タンク３に供給する水量を検出するが、希釈タンク３に供給される水量は、水道水を供給する開閉弁４３の開弁時間、水ポンプ４１の運転時間等で検出でき、さらにこれ等と流量計４４とを併用して、より正確に検出することもできる。
【００３４】
第１の濃度制御機構６は、希釈タンク３に供給する水量に対する、殺菌液２０の供給量をコントロールして、希釈タンク３の希釈殺菌液３０の殺菌剤濃度をコントロールするが、希釈タンク３の希釈殺菌液３０の殺菌剤濃度は、常に一定にはコントロールしない。プール水１０の殺菌剤濃度でもって、希釈タンク３の希釈殺菌液３０の殺菌剤濃度を変更する。このことを実現するために、第１の濃度制御機構６は、濃度センサ５で検出されるプール水１０の殺菌剤濃度で第１のポンプ１１を制御する。この第１の濃度制御機構６は、検出するプール水１０の殺菌剤濃度でもって、希釈タンク３に蓄えられる希釈殺菌液３０の殺菌剤濃度を変化させる。プール水１０の殺菌剤濃度が低い状態における希釈殺菌液３０の殺菌剤濃度が、プール水１０の殺菌剤濃度が高い状態における希釈殺菌液３０の殺菌剤濃度よりも高くなるように調整する。
【００３５】
第１の濃度制御機構６は、プール水１０の殺菌剤濃度で希釈タンク３の希釈殺菌液３０を変更するので、プール水１０の殺菌剤濃度に対する、希釈タンク３の希釈殺菌液３０の殺菌剤濃度を、関数として、あるいはルックアップテーブルとして記憶している。図２は、プール水１０の殺菌剤濃度に対する希釈殺菌液３０の濃度を示している。この図の曲線Ａで示す特性で、希釈殺菌液３０の濃度を調整する第１の濃度制御機構６は、プール水１０の殺菌剤濃度が低くなるにしたがって、希釈殺菌液３０の濃度を直線状に増加させる。第１の濃度制御機構６は、曲線Ｂで示すように、プール水１０の殺菌剤濃度が低くなるにしたがって、希釈殺菌液３０の濃度を段階的に増加することもできる。
【００３６】
第１の濃度制御機構６は、たとえば、可搬容器２に蓄える殺菌液２０を１０倍〜１００倍に希釈して、殺菌剤濃度の低い希釈殺菌液３０として蓄える。希釈タンク３の希釈殺菌液３０の殺菌剤濃度は、可搬容器２に蓄える殺菌液２０の濃度と、殺菌液２０の希釈倍率とで特定される。たとえば、可搬容器２が１０％の次亜塩素酸ナトリウム水溶液を蓄え、第１の濃度制御機構６が可搬容器２の殺菌液２０を希釈タンク３で１０倍に希釈すると、希釈殺菌液３０の濃度は１％となる。第１の濃度制御機構６は、可搬容器２の殺菌剤の濃度とプール水１０の濃度から殺菌液２０の希釈倍率を演算し、希釈倍率から、補給水機構４が希釈タンク３に供給する水量と、第１のポンプ１１が殺菌液２０を希釈タンク３に供給する液量とを演算し、演算される水量の水を補給水機構４が希釈タンク３に供給し、また演算される液量の殺菌液２０を第１のポンプ１１が希釈タンク３に供給するように制御して、希釈タンク３の希釈殺菌液３０を、プール水１０の殺菌剤濃度で調整する。
【００３７】
第１の濃度制御機構６は、たとえば、プール水１０の殺菌剤濃度である塩素濃度が法律で規定される最低濃度の０．５ｐｐｍの状態では、希釈タンク３に蓄える次亜塩素酸ナトリウムの濃度を１％とし、プール水１０の塩素濃度が低下するにしたがって、図２で示すように、希釈殺菌液３０の次亜塩素酸ナトリウムの濃度を高く調整する。
【００３８】
第２のポンプ１２は、希釈タンク３の希釈殺菌液３０を吸入してプール１に供給する。第２のポンプ１２は、タービンポンプや渦巻きポンプである。第２のポンプ１２が希釈殺菌液３０をプール１に供給する流量が第２の濃度制御機構７でコントロールされて、プール水１０の塩素濃度は設定値に調整される。
【００３９】
第２の濃度制御機構７は、濃度センサ５で検出されるプール水１０の殺菌剤濃度で第２のポンプ１２を制御して、プール水１０の殺菌剤濃度を設定濃度にコントロールする。第２の濃度制御機構７は、プール水１０の塩素濃度が設定値よりも低い状態で第２のポンプ１２を運転して、プール水１０の塩素濃度を高くする。プール水１０の塩素濃度が設定値よりも高くなると、第２のポンプ１２の運転を停止する。プール水１０の塩素濃度は、次第に低下するので、第２の濃度制御機構７は、常にプール水１０の塩素濃度が設定値となるように、第２のポンプ１２の運転を制御する。第２の濃度制御機構７は、プール水１０の塩素濃度が設定値となるように、第２のポンプ１２を運転するので、希釈タンク３の希釈殺菌液３０の濃度に関係なく、プール水１０の塩素濃度を設定値にできる。
【００４０】
第２の濃度制御機構７は、プール水１０の塩素濃度が設定値よりも低下すると、第２のポンプ１２を運転して希釈タンク３の希釈殺菌液３０を吸入してプール１に供給する。希釈殺菌液３０は、希釈して殺菌剤の濃度を低くしているので、希釈されない可搬容器２の殺菌液２０に比較して、より多量にプール１に添加される。多量に添加された希釈殺菌液３０は、よりスムーズにプール１全体に拡散して、プール水１０全体の塩素濃度を速やかに設定値まで上昇させる。プール水１０の塩素濃度が設定値になると、第２の濃度制御機構７は第２のポンプ１２の運転を停止する。
【００４１】
第２の濃度制御機構７は、プール水１０の塩素濃度が設定値に上昇するまで、第２のポンプ１２を運転して、塩素濃度を高くする。したがって、プール水１０の塩素濃度が低くなるほど、多量の希釈殺菌液３０をプール１に供給する。ただ、本発明の殺菌装置は、希釈タンク３の殺菌剤濃度を、プール水１０の塩素濃度が低下するにしたがって高く調整しているので、プール水１０の塩素濃度が相当に低下しても、希釈殺菌液３０をプール１に供給して、塩素濃度を速やかに設定値に上昇できる。
【００４２】
図１のプール水の殺菌装置は、プール水１０を循環させてろ過する循環濾過装置８の出口側に、第２のポンプ１２が希釈殺菌液３０を供給する。この殺菌装置は、ろ過するために循環しているプール水１０に希釈殺菌液３０を供給するので、希釈殺菌液３０はさらにプール水１０で希釈されて、プール１に供給される。この構造によると、希釈殺菌剤溶液はより速やかにプール水１０に拡散されて、プール水１０の塩素濃度をより速やかに設定値に上昇できる。
【産業上の利用可能性】
【００４３】
本発明の殺菌装置は、プールが一時に多人数のスイマーに使用されて、殺菌剤濃度が低下しても、速やかに殺菌剤濃度を設定値まで上昇して、細菌の繁殖や活性化を防止して、安全にプール１に使用できる状態とする。
【符号の説明】
【００４４】
１…プール
２…可搬容器                ２Ａ…開口部
３…希釈タンク
４…補給水機構
５…濃度センサ
６…第１の濃度制御機構
７…第２の濃度制御機構
８…濾過装置
１０…プール水
１１…第１のポンプ
１２…第２のポンプ
１３…吸入ホース
１４…重り
２０…殺菌液
２１…脱着収納部
２２…キャップ              ２２Ａ…運搬用のキャップ
２２Ｂ…吸入用のキャップ
２３…台車
３０…希釈殺菌液
３１…攪拌器
３２…レベルセンサ
４０…水
４１…水ポンプ
４２…水タンク
４３…開閉弁
４４…流量計
【図１】
2014091063.tif 000003
【図２】
2014091063.tif 000004